【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
パラメータ値を表す一連の数字を取得する工程と、
仮数および指数で構成される形に数字を配置し、転送すべき転送仮数を決定する、個々の数字を操作する工程と、
続いて、前記一連の数字の転送仮数だけを受信部へ転送する工程と、
前記一連の数字の転送仮数を前記受信部にて受信する工程とを含む、パラメータ値の圧縮転送方法において、
初期の数字の指数に当初設定されている受信部変数のレコードを前記受信部にて保持する工程と、
前記受信部にて、受信した個々の転送仮数について、該転送仮数および前記受信部変数に等しい指数を少なくとも含む復元された数字を構成する工程と、
現在の数字の転送仮数が第１の規準を満たす場合は第１の方法によって前記受信部変数を変更し、現在の数字の転送仮数が第２の規準を満たす場合は第２の方法によって前記受信部変数を変更する工程とを特徴とする、パラメータ値の圧縮転送方法。
【請求項２】
請求項１に記載の方法において、
前記操作は、仮数が第１の所定値より小さい場合は前記転送仮数を少なくとも仮数の一部となるよう決定し、仮数が第１の所定値以上である場合は前記転送仮数を第１の所定値と等しくなるよう決定する工程を含み、
前記転送仮数が第１の所定値に等しい場合には、現在の数字の転送仮数は第１の規準を満たし、
第１の方法によって前記受信部変数を変更する工程は、該受信部変数を漸増させる工程を含むことを特徴とする方法。
【請求項３】
請求項２に記載の方法において、
転送部において、初期の数字の指数に当初設定されている転送部変数のレコードが保持され、
個々の数字を、仮数および指数を含む形態に配置する工程は、指数を前記転送部変数に等しくなるよう決定する工程を含み、
前記転送部変数は、前記転送仮数が第１の所定値以上となる度に、漸増することを特徴とする方法。
【請求項４】
請求項２または３に記載の方法において、第１の所定値は、前記転送仮数が有し得る最も高い値を含んでいることを特徴とする方法。
【請求項５】
請求項１から４までのいずれかに記載の方法において、
前記操作は、仮数が第２の所定値より大きい場合は前記転送仮数を少なくとも仮数の一部となるよう決定し、仮数が第２の所定値以下である場合は前記転送仮数を第２の所定値と等しくなるよう決定する工程を含み、
前記転送仮数が第２の所定値に等しい場合には、現在の数字の転送仮数は第２の規準を満たし、
第２の方法によって前記受信部変数を変更する工程は、該受信部変数を漸減させる工程を含むことを特徴とする方法。
【請求項６】
請求項５に記載の方法において、
転送部において、初期の数字の指数に当初設定されている転送部変数のレコードが保持され、
個々の数字を、仮数および指数を含む形態に配置する工程は、指数を前記転送部変数に等しくなるよう決定する工程を含み、
前記転送部変数は、前記転送仮数が第２の所定値以下となる度に、漸減することを特徴とする方法。
【請求項７】
請求項５または６に記載の方法において、第２の所定値は、前記転送仮数がとり得る最も低い値を含んでいることを特徴とする方法。
【請求項８】
請求項１から４までのいずれかに記載の方法において、
前記操作は、前記転送仮数を少なくとも仮数の一部となるよう決定する工程を含み、
前記転送仮数の最初のｘ個の主要なデジットが０である場合には、現在の数字の転送仮数は第２の規準を満たし、
第２の方法によって前記受信部変数を変更する工程は、該受信部変数をｘだけ減少させる工程を含むことを特徴とする方法。
【請求項９】
請求項８に記載の方法において、
転送部において、初期の数字の指数に当初設定されている転送部変数のレコードが保持され、
個々の数字を、仮数および指数を含む形態に配置する工程は、指数を前記転送部変数に等しくなるよう決定する工程を含み、
前記転送部変数は、前記転送仮数の最初のｘ個の主要なデジットが０となる度に、ｘだけ減少することを特徴とする方法。
【請求項１０】
請求項１から９までのいずれかに記載の方法において、第１または第２の方法によって前記受信部変数を変更する工程は、前記復元された数字を構成する工程の後に行われることを特徴とする方法。
【請求項１１】
請求項１に記載の方法において、
現在の数字の転送仮数が、直前の数字の転送仮数より、第１の所定の量を超えて小さい場合には、現在の数字の転送仮数は第１の規準を満たし、
第１の方法によって前記受信部変数を変更する工程は、該受信部変数を漸増させる工程を含むことを特徴とする方法。
【請求項１２】
請求項１または１１に記載の方法において、
現在の数字の転送仮数が、直前の数字の転送仮数より、第２の所定の量を超えて大きい場合には、現在の数字の転送仮数は第２の規準を満たし、
第２の方法によって前記受信部変数を変更する工程は、該受信部変数を漸減させる工程を含むことを特徴とする方法。
【請求項１３】
請求項１１または１２に記載の方法において、第１または第２の方法によって前記受信部変数を変更する工程は、前記復元された数字を構成する工程の前に行われることを特徴とする方法。
【請求項１４】
請求項１１から１３までのいずれかに記載の方法において、
個々の数字を、仮数および指数を含む形態に配置する工程は、仮数を、該仮数の最も重要なデジットが１でその他のデジットが特徴部を含むようデジタル化して決定する工程を含み、
転送仮数を決定する工程は、転送仮数を前記特徴部と等しくなるよう決定する工程を含むことを特徴とする方法。
【請求項１５】
請求項１１から１４までのいずれかに記載の方法において、ローパスフィルタを一連の数字に適用して、該一連の数字の変動を制限することを特徴とする方法。
【請求項１６】
パラメータ値を表す一連の数字の転送仮数を受信する工程を含む、パラメータ値の圧縮受信方法において、
初期の数字の指数に当初設定されている受信部変数のレコードを保持する工程と、
受信した個々の転送仮数について、転送仮数および受信部変数に等しい指数を少なくとも含む復元された数字を構成する工程と、
現在の数字の転送仮数が第１の規準を満たす場合は第１の方法によって前記受信部変数を変更し、現在の数字の転送仮数が第２の規準を満たす場合は第２の方法によって前記受信部変数を変更する工程とを特徴とする、パラメータ値の圧縮受信方法。
【請求項１７】
パラメータ値を表す一連の数字の転送仮数を受信可能な、パラメータ値を圧縮して受信する受信部において、
初期の数字の指数に当初設定されている受信部変数のレコードを保持し、
受信した個々の転送仮数について、転送仮数および受信部変数に等しい指数を少なくとも含む復元された数字を構成し、
現在の数字の転送仮数が第１の規準を満たす場合は第１の方法によって前記受信部変数を変更し、現在の数字の転送仮数が第２の規準を満たす場合は第２の方法によって前記受信部変数を変更することを特徴とする、パラメータ値を圧縮して受信する受信部。
【請求項１８】
パラメータ値を表す一連の数字を取得する工程と、
仮数および指数で構成される形に数字を配置し、仮数が第１の所定値より小さい場合は転送仮数を少なくとも仮数の一部となるよう決定し、仮数が第１の所定値以上である場合は転送仮数を第１の所定値と等しくなるよう決定する、個々の数字を操作する工程と、
続いて、前記一連の数字の転送仮数だけを受信部へ転送する工程と、
前記一連の数字の転送仮数を前記受信部にて受信する工程とを含む、パラメータ値の圧縮転送方法において、
初期の数字の指数に当初設定されている受信部変数のレコードを前記受信部にて保持する工程と、
受信部にて、受信した個々の転送仮数について、転送仮数および受信部変数に等しい指数を少なくとも含む復元された数字を構成する工程と、
前記受信部にて、受信した個々の転送仮数について、該転送仮数および前記受信部変数に等しい指数を少なくとも含む復元された数字を構成する工程と、
現在の数字の転送仮数が第１の所定値に等しい場合は前記受信部変数を漸増させ、現在の数字の転送仮数が第２の規準を満たす場合は第２の方法によって前記受信部変数を変更する工程とを特徴とする、パラメータ値の圧縮転送方法。
【手続補正２】
【補正対象書類名】明細書
【補正対象項目名】００３５
【補正方法】変更
【補正の内容】
【００３５】
本発明の利点は、小数点の左側に２デジットより多いデジットを有する変換された検出加速度値の仮数に等しい検出加速度値の急激な上昇が、確実に追跡可能であることである。例えば、検出加速度値が上昇して、その値のサイエンティフィック表記の仮数が小数点の左に３デジットを有する場合、次の工程が行われる。
【手続補正３】
【補正対象書類名】図面
【補正対象項目名】図１
【補正方法】変更
【補正の内容】
【図１】
2008523712.tif 000001